(57)【特許請求の範囲】
【請求項１】
所定の撮像範囲を撮像するカメラユニットと、画像表示を行う表示機器とを備える撮像装置であって、
画像を入力する画像入力部と、
機器設定に対応した複数のコマンド画像を含むメニュー画像を前記表示機器に表示するコマンド表示部と、
該コマンド表示部により前記表示機器に前記メニュー画像が表示された状態で、該表示された前記メニュー画像に含まれるコマンド画像を選択するために操作されるコマンド操作部と、
前記選択されたコマンド画像に対応する処理を行う処理実行部とを備え、
前記コマンド表示部は、
前記メニュー画像を階層状に表示し、最上階のメニュー画像では、前記カメラユニットの撮像したカメラ画像を前記表示機器への表示画像とするカメラ画像コマンド画像と、前記画像入力部の入力した外部入力画像を前記表示機器への表示画像とする外部画像コマンド画像とを含んで表示し、
前記最上階のメニュー画像に含まれる前記カメラ画像コマンド画像と前記外部画像コマンド画像のいずれかが前記コマンド操作部により選択されると、前記カメラ画像コマンド画像と前記外部画像コマンド画像の両コマンド画像の表示に代えて、下層のメニュー画像を表示し、
前記カメラ画像コマンド画像が前記コマンド操作部により選択されて前記最上階のメニュー画像から前記下層のメニュー画像を表示する場合と、前記外部画像コマンド画像が前記コマンド操作部により選択されて前記最上階のメニュー画像から前記下層のメニュー画像を表示する場合とで、前記下層のメニュー画像には異なるコマンド画像を含ませて表示すると共に、
前記コマンド操作部の操作により選択された前記カメラ画像コマンド画像と前記外部画像コマンド画像に応じた前記カメラ画像と前記外部入力画像の一方の画像を背景画像とし、該背景画像に前記メニュー画像を重ねて前記表示機器に表示する
撮像装置。
【請求項２】
前記画像入力部は、画像を記憶する記憶媒体から前記画像を読み取る請求項１に記載の撮像装置。
【請求項３】
請求項１または請求項２に記載の撮像装置であって、
前記コマンド表示部による前記表示機器への前記メニュー画像の表示を行うために操作され、該操作により前記メニュー画像の表示制御信号を出力するメニュースイッチを備え、
前記コマンド表示部は、
前記メニュースイッチからの前記表示制御信号の入力を受けたときに限って、前記背景画像に前記メニュー画像を重ねて前記表示機器に表示し、前記表示制御信号の未入力の間では、前記背景画像のみを前記表示機器に表示する
撮像装置。
【請求項４】
前記コマンド表示部は、最上階より下層のいずれの階層のメニュー画像においても、最上階のメニュー画像面に戻すコマンド画像を含んで表示する請求項１ないし請求項３いずれかに記載の撮像装置。
【請求項５】
前記コマンド表示部は、いずれの階層のメニュー画像においても、メニュー画像を消失して前記メニュー画像非表示の状態に戻すコマンド画像を含んで表示する請求項１ないし請求項４いずれかに記載の撮像装置。
【請求項６】
前記コマンド表示部は、前記下層階のメニュー画像の表示に際して、前記最上階のメニュー画像に含めて表示した前記コマンド画像の並びを単位に、前記下層階のメニュー画像に含まれるコマンド画像を表示する請求項１ないし請求項５いずれかに記載の撮像装置。
【発明の詳細な説明】
【技術分野】
【０００１】
本発明は、所定の撮像範囲をカメラユニットで撮像すると共に、その撮像画像を表示機器に表示する撮像装置に関する。
【背景技術】
【０００２】
この種の撮像装置では、所定の撮像範囲、例えば、テーブルに載置された被撮像物をカメラヘッドのカメラで撮像するに当たり、そのカメラユニットで撮像した画像を表示機器に表示することが常態化しつつある。こうすれば、撮像画像の状況を確認しつつ資料提示、いわゆるプレゼンテーションを行うことができるため、その使い勝手の向上をもたらしている。その他、撮像装置では、入力ソースの選択や出力先の設定に際して、表示機器にコマンドを表示し、そのコマンドを選択することでコマンドに応じた設定を行う技術も提案されている（特許文献１）。
【０００３】
【特許文献１】特開２００４−１２０３７４号公報
【発明の開示】
【発明が解決しようとする課題】
【０００４】
ところで、この種の撮像装置では、画像を聴衆に提示するいわゆるプレゼンテーションで多用されることから、画像提示に際しての演出効果も求められに至った。例えば、カメラで撮像した画像を提示するにしても、その被撮像物は、用紙状の資料から立体物まで多種多様であることから、コマンドにて設定を行うにしても、上記したような入力ソースや出力先の機器設定だけでは不十分とされるに至った。この場合、表示するコマンドを増やせばある程度の対処はできるものの、装置付属の表示機器では、その表示画面のサイズ上、表示できるコマンドの大きさや数が制約され、十分な対処とはならなかった。
【０００５】
本発明は、上記問題点を解決するためになされ、コマンドを用いた機器設定の自由度を高めて使い勝手の向上を図ることをその目的とする。
【課題を解決するための手段】
【０００６】
上記した目的の少なくとも一部を達成するために、本発明では、以下の構成を採用した。
所定の撮像範囲を撮像するカメラユニットと、画像表示を行う表示機器とを備える撮像装置であって、
画像を入力する画像入力部と、
機器設定に対応した複数のコマンド画像を含むメニュー画像を前記表示機器に表示するコマンド表示部と、
該コマンド表示部により前記表示機器に前記メニュー画像が表示された状態で、該表示された前記メニュー画像に含まれるコマンド画像を選択するために操作されるコマンド操作部と、
前記選択されたコマンド画像に対応する処理を行う処理実行部とを備え、
前記コマンド表示部は、
前記メニュー画像を階層状に表示し、最上階のメニュー画像では、前記カメラユニットの撮像したカメラ画像を前記表示機器への表示画像とするカメラ画像コマンド画像と、前記画像入力部の入力した外部入力画像を前記表示機器への表示画像とする外部画像コマンド画像とを含んで表示し、
前記最上階のメニュー画像に含まれる前記カメラ画像コマンド画像と前記外部画像コマンド画像のいずれかが前記コマンド操作部により選択されると、前記カメラ画像コマンド画像と前記外部画像コマンド画像の両コマンド画像の表示に代えて、下層のメニュー画像を表示し、
前記カメラ画像コマンド画像が前記コマンド操作部により選択されて前記最上階のメニュー画像から前記下層のメニュー画像を表示する場合と、前記外部画像コマンド画像が前記コマンド操作部により選択されて前記最上階のメニュー画像から前記下層のメニュー画像を表示する場合とで、前記下層のメニュー画像には異なるコマンド画像を含ませて表示すると共に、
前記コマンド操作部の操作により選択された前記カメラ画像コマンド画像と前記外部画像コマンド画像に応じた前記カメラ画像と前記外部入力画像の一方の画像を背景画像とし、該背景画像に前記メニュー画像を重ねて前記表示機器に表示する。
【０００７】
[適用例：撮像装置]
所定の撮像範囲を撮像するカメラユニットと、画像表示を行う表示機器とを備える撮像装置であって、
画像を入力する画像入力部と、
機器設定に対応した複数のコマンド画像を含むメニュー画像を前記表示機器に表示するコマンド表示部と、
該コマンド表示部により前記表示機器に前記メニュー画像が表示された状態で、該表示された前記メニュー画像に含まれるコマンド画像を選択するために操作されるコマンド操作部と、
前記選択されたコマンド画像に対応する処理を行う処理実行部とを備え、
前記コマンド表示部は、
前記メニュー画像を階層状に表示し、最上階のメニュー画像では、前記カメラユニットの撮像したカメラ画像を前記表示機器への表示画像とするカメラ画像コマンド画像と、前記画像入力部の入力した外部入力画像を前記表示機器への表示画像とする外部画像コマンド画像とを含んで表示し、
前記カメラ画像コマンド画像が前記コマンド操作部により選択されて前記最上階のメニュー画像から下層のメニュー画像を表示する場合と、前記外部画像コマンド画像が前記コマンド操作部により選択されて前記最上階のメニュー画像から下層のメニュー画像を表示する場合とで、前記下層のメニュー画像には異なるコマンド画像を含ませて表示する
ことを要旨とする。
【０００８】
上記構成の撮像装置では、コマンド表示部により表示機器に表示されたメニュー画像に機器設定に対応した複数のコマンド画像を含ませる。機器設定に際しては、コマンド操作部の操作を経てメニュー画像に含まれるコマンド画像が選択され、その選択されたコマンド画像に対応する処理が処理実行部によりなされる。このようにしてコマンド表示部にてメニュー画像を表示するに当たっては、前記メニュー画像を階層状に表示するようにした上で、最上階のメニュー画像では、前記カメラユニットの撮像したカメラ画像を前記表示機器への表示画像とするカメラ画像コマンド画像と、前記画像入力部の入力した外部入力画像を前記表示機器への表示画像とする外部画像コマンド画像とを含んで表示する。よって、最上階のメニュー画像表示において、コマンド操作部の操作を経たコマンド画像選択は、少なくともカメラ画像コマンド画像の選択と、外部画像コマンド画像の選択が可能となり、その選択されたコマンド画像に対応した画像（カメラ画像または外部画像）が表示機器に表示される。
【０００９】
そして、前記カメラ画像コマンド画像が前記コマンド操作部により選択されて前記最上階のメニュー画像から下層のメニュー画像を表示するカメラ画像下層メニューにあっても、コマンド操作部の操作を経たコマンド画像選択の対象となるコマンド画像（カメラ画像下層メニューコマンド画像）が含まれ、前記外部画像コマンド画像が前記コマンド操作部により選択されて前記最上階のメニュー画像から下層のメニュー画像を表示する外部画像下層メニューにあっても、コマンド操作部の操作を経たコマンド画像選択の対象となるコマンド画像（外部画像下層メニューコマンド画像）が含まれる。このため、これら下層メニュー画像に含まれるカメラ画像下層メニューコマンド画像および外部画像下層メニューコマンド画像についても、コマンド操作部の操作を経たコマンド画像選択の対象となる。しかも、このカメラ画像下層メニューコマンド画像と外部画像下層メニューコマンド画像とは、異なるコマンド画像であることから、下層メニュー画像に含まれてコマンド操作部の操作を経たコマンド画像選択の対象となるコマンド画像は、その種別が多くなる。この結果、上記構成の撮像装置によれば、次の利点がある。
【００１０】
まず、メニュー画像を階層状とするので、一つの階層のメニュー画像に含まれるコマンド画像を少なくしても、当該階層のメニュー画像に含ませられなかったコマンド画像は、その次の階層のメニュー画像に含ませるようにできる。よって、ある階層でのメニュー画像に含ませるコマンド画像の数を少なくしても支障はなく、表示コマンド画像数を少なくした分だけ、その表示するコマンド画像を大きくできるので、コマンド画像の視認性が高まり好ましい。
【００１１】
また、コマンド操作部の操作を経たコマンド画像選択の対象となるコマンド画像は、最上階のメニュー画像に含まれるものに加えて下層メニュー画像にも含まれるものとなり、その種別も多いことから、コマンド画像選択を経た機器設定の自由度は高まり、機器設定の際の使い勝手も向上する。この場合、階層状のメニュー画像の階層数は特段の制約を受けずに増やして、機器設定に必要とされる項目に対応したコマンド画像を階層状のメニュー画像に振り分けるようにすれば、選択対象となるコマンド画像数は増え、機器設定の自由度をより高めることができる。
【００１２】
以上説明した撮像装置では、種々の態様を採ることができる。例えば、前記画像入力部を画像の記憶媒体から前記画像を読み取るものとすれば、最上階のメニュー画像には、カメラ画像を表示画像とするカメラ画像コマンド画像と、外部入力画像としてのこの読取画像前表示画像とする外部画像コマンド画像とが含まれるので、コマンド操作部の操作を経て、読取画像を表示機器に表示できる。
【００１３】
また、コマンド表示部によるメニュー画像の表示に際して、前記コマンド操作部の操作により選択された前記カメラ画像コマンド画像と前記外部画像コマンド画像に応じた前記カメラ画像と前記外部入力画像の一方の画像を背景画像とし、該背景画像に前記メニュー画像を重ねて両画像を合成してその合成画像を前記表示機器に表示するようにできる。こうすれば、装置使用者は、このいずれかの画像を背景にメニュー画像が表示された表示機器の画像を見ながらコマンド選択部によるコマンド画像選択を行うことができ、簡便である。
【００１４】
この他、前記コマンド表示部による前記表示機器への前記メニュー画像の表示を行うために操作され、該操作により前記メニュー画像の表示制御信号を出力するメニュースイッチを備えた上で、前記メニュースイッチからの前記表示制御信号の入力を受けたときに限って、コマンド表示部による前記背景画像と前記メニュー画像の合成・表示を行い、前記表示制御信号の未入力の間では、前記背景画像のみを前記表示機器に表示するようにできる。こうすれば、装置使用者は、コマンド画像選択を経た機器設定を行う場合以外は、メニュー画像を見ることはないので、表示機器の画像を見る際の煩わしさを装置使用者に与えないようにできる。
【００１５】
そして、最上階より下層のいずれの階層のメニュー画像においても、最上階のメニュー画像面に戻すコマンド画像を含んで表示するようにでき、こうすれば、下層階層のメニュー画像でのコマンド画像選択を経て、速やかに最上階のメニュー画像に復帰できる。また、いずれの階層のメニュー画像においても、メニュー画像を消失して前記メニュー画像非表示の状態に戻すコマンド画像を含んで表示するようにでき、こうすれば、メニュー画像表示を行っている際に、コマンド画像選択を経て、速やかにメニュー画像非表示の状態に復帰できる。
【発明を実施するための最良の形態】
【００１６】
以下、本発明の実施の形態について、その実施例を図面に基づき説明する。図１は実施例の撮像装置１００の斜視図である。
【００１７】
図示するように、撮像装置１００は、被撮像物が載置されるテーブル１１０と、このテーブル１１０上の図示しない被撮像物を撮像するカメラヘッド１２０と、テーブル１１０上の被撮像物を照明する照明ユニット１３０とを備える。テーブル１１０は、前方側が丸みを帯びた方形の平板状をなしてテーブル上面の前方側を傾斜面１１０ＦＳとし、この傾斜面に、スイッチ群１１２とモニタ１１４とを備え、左後方側壁には、メモリカード装着機構１１３とＵＳＢ（ Universal Serial Bus ）端子１１５を有する。このスイッチ群１１２は、照明オン／オフ、モニタ表示ソースの切り換え、モニタ１１４に表示するメニュー画像の表示切り換えの他、本装置の機能設定等ためのスイッチ機能を果たす。詳細については後述する。
【００１８】
また、テーブル１１０は、テーブル後端側のテーブル上面に開閉自在のカバー１１７を備え、当該カバーにて、外部装置と接続するための図示しないコネクタ端子群を覆い隠す。カバー１１７は、フラップ状に開閉され、図示する閉鎖状態では、テーブル１１０のテーブル上面と実質的に面一となり、カバー部分の表面を、テーブル上面に連続した面とする。このカバー１１７で覆われたコネクタ端子群には、画像信号を出力する機器、例えばパソコン等からの画像入力のためのＲＧＢ入力端子４０１（図５参照）や、アナログ表示機器にＲＧＢのアナログ信号として画像を出力するＲＧＢ出力端子４０２、デジタル表示機器にデジタル信号として画像を出力するＤＶＩ出力端子４０３（Digital Visual Interface）、汎用のビデオ端子４０４などが含まれている。
【００１９】
カメラヘッド１２０は、テーブル１１０に対してカメラ保持アーム１４０で保持される。このカメラ保持アーム１４０は、テーブル側アーム１４２とカメラ側アーム１４４を備え、テーブル側アーム１４２の基部１４３でテーブル１１０に回動自在に保持される。カメラ側アーム１４４は、カメラヘッド１２０と連結固定され、テーブル側アーム１４２との連結部でそれぞれ回動自在とされている。よって、カメラヘッド１２０は、カメラ側アーム１４４と一体となってテーブル側アーム１４２の先端で回動可能である。
【００２０】
また、カメラヘッド１２０は、図示しないカメラを内蔵し、その側面に、被撮像物の撮像の際に常用されるスイッチとしてズーム操作スイッチ１２２とオートフォーカススイッチ１２４とを備える。ズーム操作スイッチ１２２は、オートフォーカススイッチ１２４を取り囲むよう設置され、使用者による正逆の回動操作に応じて使用者所望のズーム程度を決定する。オートフォーカススイッチ１２４は、押圧スイッチとして構成され、通常はオートフォーカスオフとされており、装置使用者の押圧操作により、オートフォーカス動作が実行される。
【００２１】
照明ユニット１３０は、テーブル１１０に対して照明ユニット保持アーム１５０で保持される。この照明ユニット保持アーム１５０は、その基部１５２でテーブル１１０に回動自在に保持され、その先端側では、照明ユニット１３０を回動自在に保持する。
【００２２】
カメラ保持アーム１４０と照明ユニット保持アーム１５０は、テーブル１１０の左奥コーナーの隆起部１１８において回動自在に同軸に軸支され、テーブル１１０に対する傾斜の程度が変わるよう、テーブル１１０に対して同軸に回動する。
【００２３】
次に、撮像装置１００が有するスイッチ群１１２について詳述する。図２はスイッチ群１１２の周辺を拡大して示す斜視図、図３は図２における３−３線で切断してスイッチ群１１２の周辺の構成を模式的に示す説明図である。
【００２４】
図示するように、モニタ１１４は傾斜面１１０ＦＳの中央に配設され、モニタ右方のスイッチ群１１２は、テーパ状に陥没した凹所１１０ＦＶの中央のメニュースイッチ１１２Ｍと、当該スイッチ周囲上下左右の上スイッチ１１２Ｕと下スイッチ１１２Ｄと右スイッチ１１２Ｒと左スイッチ１１２Ｌとを備える。メニュースイッチ１１２Ｍを始めとするこれらスイッチは、押圧スイッチであり、弾発片などを用いて操作前の位置に復帰するいわゆるリターンスイッチである。そして、これらスイッチが押圧操作されると、その信号は、後述するスイッチ感知制御部２４０に出力される。なお、以下の説明に際して、メニュースイッチ１１２Ｍの周囲の上スイッチ１１２Ｕと下スイッチ１１２Ｄと右スイッチ１１２Ｒと左スイッチ１１２Ｌを一括して総称する場合には、これらスイッチを単に周囲スイッチと呼び、個別に指し示す場合にはそれぞれのスイッチ名称を用いることとする。
【００２５】
メニュースイッチ１１２Ｍは、上に向けて凸の椀状をなし、その頂上部と周縁部との間を透光窓１１２ＭＷとする。メニュースイッチ１１２Ｍの下方には、ＲＧＢの発光ダイオード（ＬＥＤ）を用いた調光光源１１９が設置されており、この調光光源１１９は、後述のスイッチ表示灯調光処理部２３０の制御を受けて調光した色の光を発する。よって、この調光光源１１９で調光された色の光が透光窓１１２ＭＷを透過するので、メニュースイッチ１１２Ｍを操作する機器使用者は、その操作に当たって、透光窓１１２ＭＷの色を視認できる。本実施例では、後述するように、右スイッチ１１２Ｒ等の押圧やコマンド設定により、画像の入力ソースをカメラヘッド１２０と外部機器（例えば、パソコン）とメモリから選択可能であることから、これら入力ソースに対応して調光光源１１９で光の色を設定している。この設定の一例としては、入力ソースがカメラヘッド１２０である場合には青色に調光し、メモリではピンク、パソコンでは緑とした。このため、機器使用者は、メニュースイッチ１１２Ｍの透光窓１１２ＭＷの色を見ることで、現在の画像の入力ソースがカメラヘッド１２０と外部機器（例えば、パソコン）とメモリのいずれかであるかを容易に認識できる。
【００２６】
次に、本実施例の撮像装置１００の機能について説明する。図４は撮像装置１００の構成の概略を示す機能ブロック図、図５は各機能ブロックが果たす機能の内容とその関連とを示すブロック図である。
【００２７】
図示するように、撮像装置１００は、設定制御部２００と、カメラ画像制御部３００と、画像入出力制御部４００と、照明制御部５００とを備える。設定制御部２００は、撮像装置１００の統括的な制御を担い、ＣＰＵ、ＲＯＭ、ＲＡＭ等を有するマイクロコンピュータを中心に構成され、これらと図示しないプログラムと協働して、設定処理部２１０、メニュー表示制御部２２０、スイッチ表示灯調光処理部２３０、スイッチ感知制御部２４０およびメモリ読取部２５０を構築する。
【００２８】
画像入出力制御部４００は、ＲＧＢ入力端子４０１に接続されたパソコン４１０からのＲＧＢアナログ信号による画像（ＰＣ画像）入力、ＲＧＢ出力端子４０２に接続されたＲＧＢアナログモニタ４２０への画像出力、ＤＶＩ出力端子４０３に接続されたデジタルモニタ４３０への画像出力、ビデオ端子４０４に接続されたビデオモニタ４４０への画像出力等の他、入力切換器４０５によるＲＧＢ出力端子４０２への信号切り換え、ソース切換部４０６による入力ソースの切り換えを行う。入力切換器４０５とソース切換部４０６による切り換えは、設定処理部２１０からの制御信号を受けて、或いは、右スイッチ１１２Ｒと左スイッチ１１２Ｌと下スイッチ１１２Ｄが後述するようにソース切換スイッチとして機能する場合のこれらスイッチの操作を受けて実行される。この切り換えの様子については後述する。なお、以下の説明に際して、ＲＧＢアナログモニタ４２０とデジタルモニタ４３０とビデオモニタ４４０を一括して総称する場合には、これらモニタを単に外部モニタと呼び、個別に指し示す場合にはそれぞれのモニタ名称を用いることとする。
【００２９】
照明制御部５００は、設定処理部２１０からの制御信号を受けて、或いは、上スイッチ１１２Ｕが後述するように照明スイッチとして機能する場合の当該スイッチの操作を受けて、照明ユニット１３０の照明をオンオフ制御する。この照明のオンオフ切り換えについては後述する。
【００３０】
カメラ画像制御部３００は、画像処理用の集積回路等を用いて構成され、カメラヘッド１２０からの撮像画像の入出力の他、設定処理部２１０にて設定された画像とするためのカメラ画像の画像処理、ズーム操作スイッチ１２２やオートフォーカススイッチ１２４の操作に応じたズーム・フォーカス処理を行う。カメラ画像は、画像入出力制御部４００に対して直接出力される他、メニュー表示制御部２２０にも出力される。このように画像入出力制御部４００にカメラ画像が出力されると、画像入出力制御部４００のソース切換部４０６や入力切換器４０５による切り換えを経て、そのカメラ画像はＲＧＢアナログモニタ４２０等の外部モニタに表示される。メニュー表示制御部２２０に出力されたカメラ画像は、このメニュー表示制御部２２０により後述するようにモニタ１１４の背景画像とされる。こうしたカメラ画像出力は、設定処理部２１０にて入力ソースにカメラヘッド１２０が設定された場合に行われる。この入力ソース設定、並びにメニュー表示制御部２２０での画像表示については後述する。
【００３１】
設定制御部２００のスイッチ感知制御部２４０は、スイッチ群１１２に含まれるメニュースイッチ１１２Ｍと、その上下左右のスイッチの押圧操作を検知し、いずれのスイッチが押圧されたかの検知信号を設定処理部２１０に出力する。メモリ読取部２５０は、メモリカード装着機構１１３（図１参照）に装着されたメモリＳＤに記憶済みの画像を読み込み、設定処理部２１０で設定された後述の画像表示様式（単独表示・サムネイル表示）に則って、読込画像（メモリ画像）を出力する。このメモリ画像は、画像入出力制御部４００に対して直接出力される他、メニュー表示制御部２２０にも出力される。このように画像入出力制御部４００にメモリ画像が出力されると、画像入出力制御部４００のソース切換部４０６や入力切換器４０５による切り換えを経て、そのメモリ画像は外部モニタに表示される。メニュー表示制御部２２０に出力されたメモリ画像は、このメニュー表示制御部２２０により後述するようにモニタ１１４の背景画像とされる。こうしたメモリ画像出力は、設定処理部２１０にて入力ソースにメモリＳＤが設定された場合に行われる。この入力ソース設定、並びにメニュー表示制御部２２０での画像表示については後述する。
【００３２】
スイッチ表示灯調光処理部２３０は、設定処理部２１０による入力ソースの設定結果に応じて既述したように調光光源１１９を調光点灯制御する。これにより、スイッチ表示灯調光処理部２３０は、メニュースイッチ１１２Ｍの透光窓１１２ＭＷを調色して、その時の入力ソース（カメラ、パソコン、メモリ）を色により機器使用者に知らしめる。
【００３３】
設定処理部２１０は、スイッチ感知制御部２４０からのスイッチ検知信号を受けて、外部モニタに出力する画像の入力ソースを設定したり、その設定した入力ソースに応じたスイッチ表示灯調光処理部２３０での調光制御、画像入出力制御部４００での画像出力の切換制御、メニュー表示制御部２２０によるメニュー表示制御等に必要な制御信号を出力する。この制御信号に基づく入力ソース設定とメニュー表示制御については、スイッチ操作と関連付けて後述する。
【００３４】
メニュー表示制御部２２０は、モニタ１１４での画像表示制御を行うため、メニュー画像合成部２２２と、メニュー合成画像出力部２２４とを備える。メニュー画像合成部２２２は、設定処理部２１０にて設定された入力ソースからの画像、例えば、カメラヘッド１２０からのカメラ画像とメモリＳＤからのメモリ画像のいずれかの画像（ソース画像）とメニュー画像とをソース画像が背景となるよう合成し、メニュー合成画像出力部２２４は、この合成画像をモニタ１１４に表示させる。合成の対象となるメニュー画像は、後述のコマンド画像を含んで構成され、設定制御部２００が備えるＲＯＭ等に記憶したコマンド画像を読み込むことで形成される。また、メニュー画像合成部２２２によるメニュー画像の合成は、後述するようにメニュースイッチ１１２Ｍにてメニュー画像によるコマンド設定を行う場合に限られるので、このメニュー画像の合成を行わない期間（メニュー画像非表示期間）では、モニタ１１４は、設定処理部２１０にて設定されたソース画像（カメラ画像とメモリ画像のいずれか）を表示する。
【００３５】
次に、上記構成の撮像装置１００が行う機器制御とメニュー表示制御とについて、スイッチ操作と関連付けて説明する。図６はスイッチ群１１２の周囲のスイッチと機器制御の関係を模式的に示す説明図である。
【００３６】
テーブル１１０のメインスイッチ１１０Ｓ（図１参照）がオンされると、撮像装置１００の入力ソースは初期状態のカメラ画像となる。つまり、撮像装置１００の主用途は、カメラヘッド１２０のカメラ画像を外部モニタを介して聴衆等に提示するプレゼンテーションであるため、入力ソースは、プレゼンテーションを前提としたカメラ画像となる。よって、図６に示すように、撮像装置１００は、メインスイッチ１１０Ｓのオン操作を経てカメラヘッド１２０によりテーブル１１０の資料Ｓを撮像し、その撮像画像（カメラ画像）を、画像入出力制御部４００から例えばＲＧＢアナログモニタ４２０に表示させると共に、これと同じカメラ画像をモニタ１１４に表示する。モニタ１１４へのカメラ画像表示は、メインスイッチ１１０Ｓのオンの状況は上記したメニュー画像の合成を行わないメニュー画像非表示期間であることから、メニュー表示制御部２２０、詳しくはメニュー画像合成部２２２は、カメラ画像制御部３００から入力を受けたカメラ画像のみをモニタ１１４に表示する。なお、モニタ１１４は低解像度の液晶表示パネルであることから、メニュー画像合成部２２２は、モニタ１１４の表示スケールに適合した画像処理を行った上で、カメラ画像のみをモニタ１１４に表示する。
【００３７】
このメニュー画像非表示期間においては、メニュースイッチ１１２Ｍの周囲の上スイッチ１１２Ｕ等の周囲スイッチは次のようにして機器設定を物理的に行うスイッチとして機能する。メニュー画像非表示期間において上スイッチ１１２Ｕが押圧操作されると、その押圧によるスイッチ信号は照明制御部５００に直接入力される。照明制御部５００は、この上スイッチ１１２Ｕのスイッチ信号を受けて、照明ユニット１３０による照明をオンオフ制御する。
【００３８】
また、メニュー画像非表示期間において右スイッチ１１２Ｒが押圧操作されると、その押圧によるスイッチ信号は画像入出力制御部４００の入力切換器４０５とソース切換部４０６に直接入力される。画像入出力制御部４００は、この右スイッチ１１２Ｒのスイッチ信号を受けて、入力ソースがパソコン４１０からのＰＣ画像となるようにして、そのＰＣ画像をＲＧＢアナログモニタ４２０に表示する。本実施例では、図５にも示したようにパソコン４１０からのＰＣ画像についてはメニュー表示制御部２２０に入力しないので、このＰＣ画像はモニタ１１４に表示されない。これは、ＰＣ画像は、その出力の段階にてパソコン４１０にて種々の画像処理が通常なされていることから、撮像装置１００の側で改めての処理は不要としたためである。そして、右スイッチ１１２Ｒの操作により入力ソースがＰＣ画像と選択された場合、本実施例の撮像装置１００では、ＰＣ画像に代わってカメラヘッド１２０からのカメラ画像をモニタ１１４に表示する。
【００３９】
同様に、メニュー画像非表示期間において左スイッチ１１２Ｌが押圧操作されると、その押圧によるスイッチ信号は画像入出力制御部４００の入力切換器４０５とソース切換部４０６に直接入力される。画像入出力制御部４００は、この左スイッチ１１２Ｌのスイッチ信号を受けて、入力ソースがメモリＳＤからのメモリ画像となるようにして、そのメモリ画像をＲＧＢアナログモニタ４２０、或いはこの他のデジタルモニタ４３０やビデオモニタ４４０に表示する。この場合、メモリ画像はメニュー画像合成部２２２に入力され、メニュー画像合成部２２２は、メモリ画像のみを既述した画像処理を行った上でモニタ１１４に表示する。通常、メモリＳＤは複数枚の静止画像を記憶している。よって、左スイッチ１１２Ｌの操作を経てメモリ画像を入力ソースに設定して当該メモリ画像をモニタ表示する場合、左スイッチ１１２Ｌを連続的に押圧することで、メモリＳＤのメモリ画像を順送りしながら表示できる。
【００４０】
メモリ画像の表示様式は、後述するようにメモリ内の画像の単独表示とサムネイル表示とを選択して設定される。よって、メニュー画像非表示期間における左スイッチ１１２Ｌの押圧操作を経た場合のデジタルモニタ４３０等の外部モニタやモニタ１１４でのメモリ画像表示は、前回までの装置使用時に設定されていた単独表示とサムネイル表示のいずれかの様式でなされる。また、サムネイル表示として複数のものを用意し、例えば、３行３列でのサムネイル表示と４行４列でのサムネイル表示とを用意し、これらサムネイル表示を使い分けることもできる。例えば、３行３列のサムネイル表示をデフォルトのサムネイル表示としておき、単独表示からサムネイル表示に表示態様が変更されれば、３行３列のサムネイル表示を用い、この状態で更にサムネイル表示の変更が設定されれば４行４列のサムネイル表示に変更し、この４行４列のサムネイル表示を、電源オフまでのサムネイル表示とする。そして、電源オフとされれば、デフォルトの３行３列のサムネイル表示とする。このサムネイル表示の変更は後述のコマンド設定にて実行される。
【００４１】
メニュー画像非表示期間における下スイッチ１１２Ｄの押圧操作は、入力ソースをメモリ画像に設定する左スイッチ１１２Ｌと同様、その押圧によるスイッチ信号の画像入出力制御部４００のへの入力を経て、入力ソースをカメラヘッド１２０からのカメラ画像とする。これにより、メモリ画像の場合或いは上記したメインスイッチ１１０Ｓの操作後と同様に、カメラ画像は、外部モニタとモニタ１１４に表示される。
【００４２】
このように、撮像装置１００は、メインスイッチ１１０Ｓが操作されてメニュースイッチ１１２Ｍが未操作であれば、このメニュースイッチ１１２Ｍが操作されるまではメニュー画像の合成を行わないメニュー画像非表示期間であるとする。この判断は、メニュースイッチ１１２Ｍの操作の有無によりスイッチ感知制御部２４０や設定処理部２１０にて下される。そして、本実施例の撮像装置１００は、メニュー画像非表示期間においては、メニュースイッチ１１２Ｍの周囲の上スイッチ１１２Ｕを撮像装置１００の使用状況の一つである照明のオンオフを設定する物理的な操作スイッチとして機能させ、右スイッチ１１２Ｒを撮像装置１００の使用状況の一つである入力ソース設定（ＰＣ画像設定）を行う物理的な操作スイッチとして機能させ、左スイッチ１１２Ｌを撮像装置１００の使用状況の一つである入力ソース設定（メモリ画像設定）を行う物理的な操作スイッチとして機能させ、下スイッチ１１２Ｄを撮像装置１００の使用状況の一つである入力ソース設定（カメラ画像設定）を行う物理的な操作スイッチとして機能させる。これらの設定は、撮像装置１００を使用する上で常用されるものであることから、本実施例の撮像装置１００によれば、後述するコマンド画像選択と言った手順を取らずに、装置使用者は上記各スイッチの操作により直接的に照明のオンオフや入力ソースの設定を容易にできるので、使い勝手が高まる。
【００４３】
こうした上スイッチ１１２Ｕ等の周囲スイッチを物理的な設定スイッチとして機能させることを、図５に示した各機能ブロックとの関係で説明すると次のようになる。スイッチ感知制御部２４０を経てスイッチ操作を入力する設定処理部２１０は、上スイッチ１１２Ｕから照明ユニット１３０への制御信号ライン、および右スイッチ１１２Ｒ、下スイッチ１１２Ｄと左スイッチ１１２Ｌから画像入出力制御部４００への信号ラインにライン開閉スイッチ２１１を備える。そして、設定処理部２１０は、当該スイッチを、メニュースイッチ１１２Ｍが未操作のメニュー画像非表示期間においてライン解放とし、メニュースイッチ１１２Ｍが操作されて後述するようにコマンド設定モードとなると、ライン閉鎖とする。
【００４４】
ところで、撮像装置１００はプレゼンテーションに多用されることから、カメラヘッド１２０の撮像対象は、用紙に限らず立体物であることも多い。また、聴衆に提示する箇所を強調するために拡大表示することも常に求められる。こうしたことから、本実施例の撮像装置１００では、カメラヘッド１２０での撮像を行う上で常用されるオートフォーカスのオンオフの設定、ズームの設定については、これら設定を行うスイッチをズーム操作スイッチ１２２とオートフォーカススイッチ１２４として、カメラヘッド１２０に配設した。このため、本実施例の撮像装置１００によれば、被撮像物の撮像に伴うオートフォーカスとズームの設定については、カメラヘッド１２０に付属させた物理的な上記両スイッチにより容易に設定でき、カメラヘッド１２０に付属させたことと相まって、使い勝手が高まる。
【００４５】
また、撮像装置１００の設定処理部２１０は、メニュー画像非表示期間にあっても、スイッチ感知制御部２４０を経て上記した周囲スイッチのスイッチ操作信号を入力する。よって、この設定処理部２１０は、メニュー画像非表示期間で上記周囲スイッチのうちの右スイッチ１１２Ｒと下スイッチ１１２Ｄと左スイッチ１１２Ｌで設定された入力ソースを判別し、その判別した入力ソースに応じて調光光源１１９を調光制御して透光窓１１２ＭＷを調光した色とする（図３参照）。このため、装置使用者は、上記した左スイッチ１１２Ｌ、右スイッチ１１２Ｒおよび下スイッチ１１２Ｄのスイッチ操作で入力ソースを設定している場合はもとより、ソース設定後においても、透光窓１１２ＭＷの色の様子で現在の入力ソースを認識でき、使い勝手が高まる。
【００４６】
更に、上記したようなメモリ画像の順送り表示は、メニュー画像非表示期間における左スイッチ１１２Ｌの連続操作であることとから、設定処理部２１０は、このメニュー画像非表示期間にあける左スイッチ１１２Ｌの連続操作に基づく信号（連続スイッチ信号）をスイッチ感知制御部２４０を経て入力し、メモリ読取部２５０にて読み取ったメモリ画像をこの連続スイッチ信号の入力に合わせて順送りする。これにより、既述したように左スイッチ１１２Ｌの連続操作によりメモリ画像の順送り表示がなされる。
【００４７】
次に、撮像装置１００が行うコマンド画像選択による機器設定について説明する。図７はコマンド画像を含む最上階のメニュー画像（トップメニュー）を示す説明図である。図７に示すように、トップメニューにはコマンド画像が上下に配置され、メニュー下段には、入力ソースに関してカメラ画像を示すカメラコマンド画像ＣＣと、ＰＣ画像を示すＰＣコマンド画像ＰＣＣ、メモリ画像を示すメモリコマンド画像ＳＤＣと、バックコマンド画像ＢＣとが含まれる。バックコマンド画像ＢＣは、メニュー画像におけるコマンド画像選択による機器設定を行わない状態に復帰する場合に選択されるコマンド画像である。
【００４８】
トップメニュー上段には、照明コマンド画像ＬＣと、キャプチャーコマンド画像ＣＡＰＣと、テキストコマンド画像ＴＣと、カラーコマンド画像ＣＯＣと、詳細設定コマンド画像ＭＣとが含まれる。
【００４９】
照明コマンド画像ＬＣは、照明ユニット１３０による照明のオンオフをメニュー画像におけるコマンド画像選択により行うためのものである。キャプチャーコマンド画像ＣＡＰＣは、設定済みの入力ソースの画像を表示している際に、その表示画像を装置内部の或いは装置外部のメモリ機器にキャプチャーして記憶することをメニュー画像におけるコマンド画像選択により行うためのものである。テキストコマンド画像ＴＣは、入力ソース画像がテキストである場合に、そのテキストの表示に適した画像モード（テキスト画像モード）とすることをメニュー画像におけるコマンド画像選択により行うためのものである。カラーコマンド画像ＣＯＣは、入力ソース画像がカラー画像である場合に、カラー画像表示に適した画像モード（カラー画像モード）とすることをメニュー画像におけるコマンド画像選択により行うためのものである。詳細設定コマンド画像ＭＣは、カメラコマンド画像ＣＣとメモリコマンド画像ＳＤＣにより入力ソースがカメラ画像とメモリ画像のいずれかに設定された上で有効となり、カメラ画像或いはメモリ画像を表示出力する上での種々の詳細項目設定をメニュー画像におけるコマンド画像選択により行うためのものである。
【００５０】
テキストコマンド画像ＴＣを選択した場合のテキスト画像モードの詳細モード、例えば表示文字のエッジの強さやシャープさ等は、後述の下層メニュー画像のコマンド画像選択を経て設定され、トップメニューにおいてテキストコマンド画像ＴＣが選択されると、上記の設定済みの詳細モードでのテキスト画像表示がなされる。カラーコマンド画像ＣＯＣを選択した場合のカラー画像モードの詳細モード設定についても同様である。
【００５１】
このトップメニューは、メニュースイッチ１１２Ｍが押圧操作されていない間は、モニタ１１４に表示されず、このメニュースイッチ１１２Ｍの押圧操作を受けて始めてモニタ１１４に次のようにして表示される。なお、説明の便宜上、現在の入力ソースはカメラヘッド１２０からのカメラ画像であるとして、以下説明する。
【００５２】
図８はメニュースイッチ１１２Ｍの操作を受けて行われるトップメニューの表示の様子と左スイッチ１１２Ｌ等の操作に伴うコマンド画像選択の様子を示す説明図である。メインスイッチ１１０Ｓがオンされて撮像装置１００が使用状態となると、設定処理部２１０は、スイッチ感知制御部２４０からのスイッチ検知信号に基づき、メニュースイッチ１１２Ｍの押圧操作の有無を常時監視する。そして、メニュースイッチ１１２Ｍが押圧操作されると、設定処理部２１０は、コマンド画像を含むメニュー画像を用いた機器設定を装置使用者が所望しているとして、メニュー表示制御部２２０にトップメニュー表示信号を出力する。この表示信号出力前は、既述したメニュー画像非表示期間であることから、モニタ１１４には、図８（Ａ）に示すように、カメラヘッド１２０のカメラ画像しか表示されない。よって、装置使用者は、後述の種々のコマンド画像の選択を経た機器設定を行う場合以外の上記メニュー画像非表示期間は、メニュー画像を見ることはないので、モニタ１１４の画像を見る際の煩わしさを装置使用者に与えないようにできる。
【００５３】
メニュー表示制御部２２０は、トップメニュー表示信号の入力を受けて、この際の入力ソースであるカメラ画像をカメラ画像制御部３００からメニュー画像合成部２２２に受け取ると共に、メモリに記憶したトップメニューの上記した各コマンド画像とをメモリからメニュー画像合成部２２２に読み出し、コマンド画像を並べて図７に示すトップメニュー画像を形成する。そして、メニュー画像合成部２２２は、カメラ画像を背景にしてトップメニュー画像を重ねて合成し、その合成後の画像はメニュー合成画像出力部２２４を経てモニタ１１４に出力される。この結果、図８（Ｂ）に示すように、モニタ１１４には、カメラ画像を背景としてトップメニューが表示される。
【００５４】
このようにしてモニタ１１４に背景画像（この場合、カメラ画像）と共にトップメニューが表示されると、撮像装置１００はコマンド設定モードになり、このコマンド設定モードに推移以降では、メニュースイッチ１１２Ｍは決定スイッチとして機能し、その周囲の上スイッチ１１２Ｕ等の周囲スイッチは、コマンド画像選択のためのカーソルＣを移動させるスイッチとして機能する。つまり、メニュー画像非表示期間において上記したように撮像装置１００の使用状況を設定する物理的な操作スイッチとして機能していた上スイッチ１１２Ｕ等の周囲スイッチは、コマンド設定モード推移後にあっては、コマンド画像選択のためのカーソルＣを移動させてコマンド画像を選択するために操作されるコマンド操作部となる。
【００５５】
この図８（Ｂ）は、メニュースイッチ１１２Ｍの操作を経てトップメニューを表示した直後のモニタ１１４での画像表示状態（初期状態）を示しており、本実施例では、この初期状態においてカーソルＣをバックコマンド画像ＢＣの位置となるようにしている。よって、この初期状態において、メニュースイッチ１１２Ｍが再度押圧されると、設定処理部２１０は、バックコマンド画像ＢＣのコマンド画像が選択・決定されたと判断するので、モニタ１１４に一旦表示していたコマンド画像を総て消失させてトップメニューから抜ける。これにより、撮像装置１００は、コマンド設定モードから抜け、コマンド画像選択による機器設定を行わない期間、即ち上記したメニュー画像非表示期間となるので、モニタ１１４は、図８（Ａ）に戻りカメラ画像しか表示しない。よって、これ以降にメニュースイッチ１１２Ｍが操作されなければ、上スイッチ１１２Ｕ等の周囲スイッチは、既述したように照明のオンオフと言った使用状態を設定する物理的な機能を果たすスイッチとなる。
【００５６】
また、本実施例では、図８（Ｂ）のようにトップメニューを表示している場合、それ以前に設定されている入力ソース（設定入力ソースＳＰ）を、モニタ１１４に表示したトップメニューにて視認できるようにしている。例えば、この図８（Ｂ）に例示するように、その時の設定入力ソースＳＰたるカメラ画像に対応するコマンド画像のカメラコマンド画像ＣＣを枠取り表示したり、カメラコマンド画像ＣＣを他のコマンド画像よりも色濃く表示するいわゆるハイライト表示を行う。よって、機器使用者は、このトップメニューにおけるコマンド画像での設定入力ソースＳＰの表示と、既述した調光光源１１９での調光を経た透光窓１１２ＭＷの調色表示と相まって、現在の設定入力ソースを容易に認識できる。なお、設定入力ソースＳＰたるカメラコマンド画像ＣＣの枠取り表示やハイライト表示は、コマンド画像のメモリ読み込みに際して、枠取り画像の読み込み・合成や輝度調整を行う周知の画像処理手法にて実現できる。
【００５７】
図８（Ｂ）に示したトップメニューを表示したコマンド設定モードにおける上スイッチ１１２Ｕ等の周囲スイッチのうち、左スイッチ１１２Ｌは、その押圧操作の度に、カーソルＣをバックコマンド画像ＢＣの位置から左方向に順送りするよう機能する。この場合、メニュー下段の最左方のコマンド画像にカーソルＣが達した後の左スイッチ１１２Ｌの操作は、メニュー上段の最左方のコマンド画像にカーソルＣを移動させる。つまり、左スイッチ１１２Ｌは、その押圧操作の度に、上下段に並んだコマンド画像をバックコマンド画像ＢＣから左方向回りにカーソルＣを順送りするよう機能する。右スイッチ１１２Ｒは、この逆に、その押圧操作の度に、上下段に並んだコマンド画像をバックコマンド画像ＢＣから右方向回りにカーソルＣを順送りするよう機能する。
【００５８】
その一方、上スイッチ１１２Ｕと下スイッチ１１２Ｄについては、カーソルＣの送りとしての機能について種々設定できる。例えば、上スイッチ１１２Ｕを、その操作の都度に、下段のコマンド画像から上段のコマンド画像に向けた、或いはこの逆向きに向けたカーソルＣの移動を起こすよう機能させ、下スイッチ１１２Ｄを、いずれのコマンド画像にあるカーソルＣをバックコマンド画像ＢＣに戻すよう機能させることができる。
【００５９】
こうしたスイッチ操作に伴うカーソル移動の表示は、次のようになされる。設定処理部２１０は、スイッチ感知制御部２４０を経てコマンド設定モードでの上記の周囲スイッチの操作状況を監視している。よって、設定処理部２１０から周囲スイッチの種別とその回数と言った信号をメニュー表示制御部２２０に送ることで、メニュー表示制御部２２０、詳しくはメニュー画像合成部２２２により、カーソルＣが移動後の合成画像（背景画像とコマンド画像の合成画像）が生成され、その合成画像がモニタ１１４に表示されることになる。
【００６０】
上スイッチ１１２Ｕ等の周囲スイッチは上記したようなカーソルＣの移動機能を果たすことから、図８（Ｂ）に示す状態から周囲スイッチが操作されると、カーソルＣは、図８（Ｃ）に示すように、スイッチ操作に応じて移動する。そして、この図８（Ｃ）に示すようにカーソルＣがＰＣコマンド画像ＰＣＣ（図７参照）に移動した状態においてメニュースイッチ１１２Ｍが操作されると、当該スイッチ操作は既述したように決定スイッチとして機能することから、ＰＣコマンド画像ＰＣＣが選択設定されたことになる。そうすると、設定処理部２１０によるスイッチ操作監視、およびその結果を受けた画像入出力制御部４００でのソース切換により、設定入力ソースＳＰはカメラ画像からＰＣ画像にその設定が変更される。この場合には、設定入力ソースＳＰがＰＣ画像とされたことから、既述したように、この設定入力ソースＳＰたるＰＣ画像は、ＲＧＢ出力端子４０２を経てＲＧＢアナログモニタ４２０にのみ出力されて当該モニタに表示され、モニタ１１４には表示されない。しかしながら、既述したように、この場合のモニタ１１４での画像表示は、ＰＣ画像に代わってカメラヘッド１２０のカメラ画像を背景画像としてトップメニューを重ねて合成した画面表示となる。
【００６１】
図８（Ｂ）に示す状態から周囲スイッチの操作によりカーソルＣがメモリコマンド画像ＳＤＣ（図７参照）に移動してメニュースイッチ１１２Ｍが操作されると、設定入力ソースＳＰはメモリ画像に選択設定（変更）される。この場合には、設定入力ソースＳＰがメモリ画像とされたことから、既述したように、この設定入力ソースＳＰたるメモリ画像は、ＲＧＢアナログモニタ４２０或いはデジタルモニタ４３０やビデオモニタ４４０に表示される他、モニタ１１４にあっては、トップメニューの背景画像として合成された上で、トップメニューと共に表示される。つまり、図８（Ｂ）や（Ｃ）に示すカメラ画像がメモリ画像に変わった合成画像がモニタ１１４に表示される。この画像合成は、カメラ画像とトップメニューとの合成・表示と同様にして、メニュー表示制御部２２０のメニュー画像合成部２２２とメニュー合成画像出力部２２４にて実行される。
【００６２】
図８（Ｂ）に示す状態から周囲スイッチの操作によりカーソルＣがトップメニュー上段の照明コマンド画像ＬＣ等（図７参照）に移動してメニュースイッチ１１２Ｍが操作されると、カーソルＣが位置するコマンド画像に対応した設定が選択されることになる。例えば、照明コマンド画像ＬＣが選択設定された場合には、それ以前まで照明ユニット１３０が照明オンであれば照明オフとされ、照明オフであれば照明オンとされる。キャプチャーコマンド画像ＣＡＰＣが選択設定されれば、その時の設定済みの入力ソースの画像をキャプチャーして記憶機器に記憶する。テキストコマンド画像ＴＣが選択設定されれば、画像表示がテキスト画像モードとされ、カラーコマンド画像ＣＯＣが選択設定されれば、画像表示がカラー画像モードとされる。こうしたコマンド画像に応じた設定は、設定処理部２１０にてなされる。
【００６３】
詳細設定コマンド画像ＭＣが選択設定された場合は、次のようになる。図９は設定入力ソースＳＰがカメラ画像である場合に詳細設定コマンド画像ＭＣが選択設定された場合におけるメニュー画像の推移の様子を示す説明図である。
【００６４】
今、装置使用者は、カメラ画像が設定入力ソースＳＰである場合にその画像表示等に際して更に詳細な機器設定を所望したとする。この場合、装置使用者は、図９（Ａ）に示すように、設定入力ソースＳＰをカメラ画像とした上で、上スイッチ１１２Ｕ等の周囲スイッチを操作して上記したようにカーソルＣを詳細設定コマンド画像ＭＣに合わせ、メニュースイッチ１１２Ｍを押圧操作する。そうすると、設定処理部２１０は、この周囲スイッチおよびメニュースイッチ１１２Ｍの操作を受けて、モニタ１１４のメニュー画像表示を図８（Ｂ）〜（Ｃ）のトップメニュー表示からこれより下層のメニュー画像表示に変更する制御信号をメニュー表示制御部２２０に出力する。これを受けて、メニュー表示制御部２２０のメニュー画像合成部２２２は、トップメニューより下層のメニュー画像に含まれるコマンド画像をメモリから読み出し、そのコマンド画像をカメラ画像を背景として合成して、図９（Ｂ）に示すように、下層のメニュー画像を含む合成画像をモニタ１１４に表示する。これにより、モニタ１１４の表示は、トップメニューから下層のメニュー画像に推移する。
【００６５】
図９（Ｂ）に示す下層階層のメニュー画像にあってもコマンド画像が上下に配置され、メニュー下段には、バックコマンド画像ＢＣをトップメニューと同じ位置に配した上で、その左方に三つのコマンド画像を含ませ、メニュー上段には、トップメニューコマンド画像ＴＢＣを含ませている。このトップメニューコマンド画像ＴＢＣは、図示する階層のメニュー画像の他、これより下層のいずれの階層のメニュー画像においても表示されるコマンド画像であり、当該階層のメニュー画像から図９（Ａ）のトップメニューに復帰する場合に選択されるコマンド画像である。
【００６６】
このようにトップメニューから下層のメニュー画像に推移すると、右スイッチ１１２Ｒ等の周囲スイッチとメニュースイッチ１１２Ｍは、コマンド画像選択やメニュー画像の下層推移のために操作されるスイッチとして機能する。このスイッチ機能を、下層のメニュー画像と併せて説明する。図１０は下層階層のメニュー画像に含まれるコマンド画像とそのコマンド画像による下層階級メニュー画像の形成の様子を説明するための説明図、図１１は下層へのメニュー画像推移と上層へのメニュー画像推移の様子を説明するための説明図である。
【００６７】
本実施例では、トップメニューより下層の各階層のメニュー画像を含まれるコマンド画像数を三つに制限した上で、その中央のコマンド画像の位置にカーソルＣを固定し、この中央のコマンド画像が、メニュースイッチ１１２Ｍの押圧により選択されるようにした。つまり、メニュースイッチ１１２Ｍは、下層のメニュー画像においても、コマンド画像を決定する決定スイッチとして機能する。
【００６８】
図１０に示すように、下層のメニュー画像に含まれるコマンド画像は、撮像装置１００を使用する上でその設定が必要とされる項目ごとにそれぞれ異なる画像で用意され、装置付属のメモリに記憶されている。例えば、図１０の場合では、明るさ調整をオートとするか手動とするかを設定するためのコマンド画像、明るさオート調整の際の調整程度を設定するためのコマンド画像、ホワイトバランスをオートとするか手動とするかを設定するためのコマンド画像、赤色強調の程度を設定するためのコマンド画像、青色強調の程度を設定するためのコマンド画像等のコマンド画像が記憶されている。
【００６９】
そして、図１０に示すコマンド画像は、連続した三つのコマンド画像でトップメニューより下層のメニュー画像の第１層コマンド画像群ＣＭ１から最下層コマンド画像群ＣＭＬを構成する。よって、メニュー表示制御部２２０のメニュー画像合成部２２２は、後述の周囲スイッチの操作を経た下層へのメニュー画像推移指示を受けて、各層のコマンド群の三つのコマンド画像をメモリから読み出し、そのコマンド画像をカメラ画像を背景として合成して、下層のメニュー画像を含む合成画像をモニタ１１４に表示する。こうすることで、下層の各階層のメニュー画像では、その階層のメニュー画像に対応した三つのコマンド画像を含み、それより下層のメニュー画像に推移すると、図１０に示したコマンド画像群が順次変更されることから、表示されるコマンド画像は一つずつ変更される。よって、メニュー画像が下層に推移する都度に、カーソルＣが指し示すコマンド画像が順次変わることになる。
【００７０】
こうしたメニュー画像の推移を行うための操作スイッチは、周囲スイッチにおける右スイッチ１１２Ｒと左スイッチ１１２Ｌであり、右スイッチ１１２Ｒは、メニュー画像を下層方向に階層ごとに順送りするスイッチとして機能し、左スイッチ１１２Ｌは、メニュー画像を上層方向に階層ごとに順送りするスイッチとして機能する。よって、右スイッチ１１２Ｒと左スイッチ１１２Ｌとが操作される度に、図１１に示すようにメニュー画像が下層或いは上層に層順に推移することになる。
【００７１】
下スイッチ１１２Ｄは、カーソルＣをバックコマンド画像ＢＣに戻すスイッチとして機能し、上スイッチ１１２Ｕは、カーソルＣをトップメニューコマンド画像ＴＢＣに戻すスイッチとして機能する。メニュースイッチ１１２Ｍは、コマンド画像決定スイッチとして機能することから、各階層のメニュー画像においてメニュースイッチ１１２Ｍが操作されると、その階層のメニュー画像に含まれる三つのコマンド画像の中央のコマンド画像が選択されることになる。こうしてコマンド画像が選択されると、そのコマンド画像に対応した設定、例えば、図９（Ｂ）の階層のメニュー画像では、上記した明るさオート調整の際の調整程度を設定するためのコマンド画像が選択されるので、この調整程度の設定のための詳細項目がモニタ１１４に例えばプルダウン形式でメニュー表示される。装置使用者は、このプルダウンメニューにて調整程度を設定する。なお、こうしたコマンド画像に対応した設定がなされると、設定処理部２１０によりその設定に応じた機器調整がなされる。
【００７２】
その一方、下スイッチ１１２Ｄの操作を経てカーソルＣがバックコマンド画像ＢＣに移った状態でメニュースイッチ１１２Ｍが操作されると、設定処理部２１０は、既述したようにモニタ１１４に一旦表示していたコマンド画像を総て消失させる。よって、これ以降、撮像装置１００は、既述したようにコマンド設定モードから抜けるので、モニタ１１４は、図８（Ａ）の表示に戻りカメラ画像しか表示せず、上スイッチ１１２Ｕ等の周囲スイッチは、既述したように照明のオンオフと言った使用状態を設定する物理的な機能を果たすスイッチとなる。
【００７３】
また、上スイッチ１１２Ｕの操作を経てカーソルＣがトップメニューコマンド画像ＴＢＣに移った状態でメニュースイッチ１１２Ｍが操作されると、設定処理部２１０は、それまで表示していた下層階層のメニュー画像からトップメニューに変更すべくメニュー表示制御部２２０に制御信号を送るので、モニタ１１４の表示は、図８（Ｂ）のトップメニュー表示となる。よって、装置使用者は、入力ソースの再設定等を既述したようにして行うことができる。
【００７４】
次に、設定入力ソースＳＰがメモリ画像に設定された状態で詳細設定コマンド画像ＭＣが選択設定された場合について説明する。メモリ画像は、往々にして静止画像であることが多いので、こうしたメモリ画像を外部モニタに表示する場合は、本実施例の撮像装置１００は、各画像を一枚ずつ表示する表示モード（単体表示モード）での表示と、複数枚の画像を縦横に並べて表示するいわゆるサムネイルの表示モード（サムネイルモード）での表示を可能としている。こうした表示モードの変更は、カメラ画像を外部モニタに表示する場合には通常行われないことから、メモリ画像についての機器設定に際しては、メモリ画像の場合とそのメニュー画像構成を異なるものとした。図１２は図９相当図であり設定入力ソースＳＰがメモリ画像であって単体表示モードの場合に詳細設定コマンド画像ＭＣが選択設定された場合におけるメニュー画像の推移の様子を示す説明図、図１３は図１０相当図でありメモリ画像が設定入力ソースＳＰであって単体表示モードの場合の下層階層のメニュー画像に含まれるコマンド画像とそのコマンド画像による下層階級メニュー画像の形成の様子を説明するための説明図、図１４はメモリ画像の表示を行う際のモード切換に伴う表示の切換の様子を示す説明図、図１５は設定入力ソースＳＰがメモリ画像であってサムネイルモードの場合のメニュー画像の様子を示す説明図である。
【００７５】
既述したように、メモリ画像の表示に際しては、単体表示モードとサムネイルモードのいずれかのモードが後述するように設定され、その設定済みモード、即ち単体表示モードとサムネイルモードのいずれかのモードは、本実施例ではメインスイッチ１１０Ｓのオフ後にも維持され、再度のメインスイッチ１１０Ｓのオンの際に、上記設定済みのモードとなるようにした。まず、単体表示モードでのメモリ画像表示について先に説明する。
【００７６】
今、単体表示モードである場合に、装置使用者は、その画像表示等に際して更に詳細な機器設定を所望したとする。この場合にモニタ１１４に表示されるトップメニューは、メニュー画像合成部２２２がコマンド画像の背景としてメモリ画像を用いて合成したものとなり、例えば、図１２（Ａ）となる。背景画像は、単体表示モードであることから、メモリＳＤが記憶している画像の一つである。このトップメニューでは、設定入力ソースＳＰがメモリ画像であってカーソルＣが詳細設定コマンド画像ＭＣに周囲スイッチの操作により合わせられている。この状態で、装置使用者がメニュースイッチ１１２Ｍを押圧操作すると、設定処理部２１０やメニュー表示制御部２２０により、既述したようにモニタ１１４には、図１２（Ａ）のトップメニュー表示からこれより下層のメニュー画像が表示される（図１２（Ｂ））。こうしたメニュー画像推移は、既述したカメラ画像の場合と同様であり、メニュー画像合成部２２２での下層メニュー画像に含まれるコマンド画像の読み出し、メモリ画像を背景としたコマンド画像の合成がなされる。
【００７７】
図１２（Ｂ）に示す下層階層のメニュー画像にあっても、図９（Ｂ）で説明したように、バックコマンド画像ＢＣとトップメニューコマンド画像ＴＢＣに加えて、三つのコマンド画像を含む。このように下層のメニュー画像に推移した場合の周囲スイッチとメニュースイッチ１１２Ｍは、既述したようにコマンド画像選択やメニュー画像の階層順の推移のために操作されるスイッチとして機能する。
【００７８】
本実施例では、メモリ画像の単体表示モードを行う際のコマンド画像として、図１３に示す四つを用意しており、この四つのコマンド画像の連続した三つのコマンド画像でトップメニューより下層のメニュー画像の第１層コマンド画像群ＣＭ１から第４層コマンド画像群ＣＭ４を構成する。これら各階層のメニュー画像に含まれるコマンド画像は、メモリ画像の表示モードを単体表示モードとサムネイルモードのいずれかに設定するためのコマンド画像（表示選択コマンド画像）、単体表示モードで表示されている画像を削除するためのコマンド画像、単体表示モードで表示されている画像の変種等をロックするためのコマンド画像、そのロックを解除するコマンド画像であり、これらは撮像装置１００のメモリに記憶されている。なお、この場合のメニュー画像の下層側或いは上層側への階層順の推移は、既述したように右スイッチ１１２Ｒと左スイッチ１１２Ｌの操作によってなされる。
【００７９】
図１２（Ｂ）において周囲スイッチにてメニュー画像の下層推移がなされて、表示選択コマンド画像がカーソルＣに合致する中央となった上で当該コマンド画像がメニュースイッチ１１２Ｍにより決定されると、図１４に示すように、単体表示からサムネイル表示に交互に切り替わる。これにより、それまで単体画像を背景としていた図１２（Ｂ）の下層のメニュー画像は、図１５に示すように、背景画像がサムネイル画像とされたメニュー画像に変更される。この際にあっても、メニュー画像合成部２２２によるサムネイル画像の読み込み、背景をサムネイル画像としたメニュー画像の合成がなされる。このようにサムネイル画像を背景として合成するに当たっては、最下段列のサムネイル画像がメニュー画像に重なって見えなくなってしまわないように、サムネイル画像全体を縮小した上でメニュー画像に合成して表示する。
【００８０】
表示選択コマンド画像の選択設定を経てこうしたサムネイル画像を表示する場合、既述したように、３行３列のサムネイル表示と４行４列のサムネイル表示とを使い分けることができる。よって、表示選択コマンド画像を選択した際には、例えばプルダウン形式のメニューを当該表示選択コマンド画像の上部に表示し、このプルダウン形式メニューに、単体表示、３行３列サムネイル、４行４列サムネイルのコマンドを上下に並べて含ませ、当該コマンドを周囲スイッチ（具体的には、上スイッチ１１２Ｕまたは下スイッチ１１２Ｄ）で選択できるようにする。そして、このプルダウン形式メニューにより３行３列サムネイルが選択されれば、図１４に示すように、単体表示からサムネイル表示に切り替わる。一方、プルダウン形式メニューにより４行４列サムネイルが選択されれば、図１４の３行３列のサムネイル表示が４行４列のサムネイル表示に切り替わる。なお、プルダウン形式メニューを含むようなメニュー画像についても、装置のメモリからの画像（プルダウン形式メニューの画像）の読み取り・合成表示がなされる。
【００８１】
サムネイル表示での表示設定項目は、単体表示モードでの設定項目と相違することから、上記したように合成画像の背景画像がサムネイル画像に変更されると、図１２（Ｂ）と図１５に示すように、メニュー画像も異なるようにされている。つまり、メニュー画像合成部２２２は、サムネイル画像を背景画像とする合成に際して、このサムネイル画像表示に対応したコマンド画像をメモリから新たに読み込んで、メニュー画像を合成形成する。図１６は図１３相当図でありメモリ画像が設定入力ソースＳＰであってサムネイルモードの場合の下層階層のメニュー画像に含まれるコマンド画像とそのコマンド画像による下層階級メニュー画像の形成の様子を説明するための説明図、図１７はサムネイルモードにおける更に下層のメニュー画像の様子を示す説明図である。
【００８２】
この図１６に示すように、メモリ画像のサムネイルモードを行う際のコマンド画像としては四つのコマンド画像が用意され、その連続した三つのコマンド画像でトップメニューより下層のメニュー画像の第１層コマンド画像群ＣＭ１から第４層コマンド画像群ＣＭ４を構成する。これら各階層のメニュー画像に含まれるコマンド画像は、上記した表示選択コマンド画像の他、サムネイル表示されている個々の画像をスライド表示するためのコマンド画像、そのスライド表示の表示態様を設定するためのコマンド画像（スライド表示態様設定コマンド画像）、サムネイル表示を単体画像表示に戻す初期化のためのコマンド画像であり、これらにあっても、撮像装置１００のメモリに記憶されている。なお、この場合のメニュー画像の下層側或いは上層側への階層順の推移は、既述したように右スイッチ１１２Ｒと左スイッチ１１２Ｌの操作によってなされる。
【００８３】
図１５において周囲スイッチにてメニュー画像の下層推移がなされて、スライド表示態様設定コマンド画像がカーソルＣに合致する中央となった上で当該コマンド画像がメニュースイッチ１１２Ｍにより決定されると、図１７に示すように、スライド表示を行う上で設定するコマンド画像を含む下層のメニュー画像に推移する。このメニュー画像推移に際しても、メニュー画像合成部２２２によって、既述したようにコマンド画像の読み込み、背景画像であるサムネイル画像との合成・表示が行われる。図１８はスライド表示を行う上での下層階層のメニュー画像に含まれるコマンド画像とそのコマンド画像による下層階級メニュー画像の形成の様子を説明するための説明図である。
【００８４】
この図１８に示すように、メモリ画像のスライド表示を行う際のコマンド画像としては五つのコマンド画像が用意され、その連続した三つのコマンド画像で、図１５に示したメニュー画像より下層のメニュー画像の第１層コマンド画像群ＣＭ１から第５層コマンド画像群ＣＭ５を構成する。これら各階層のメニュー画像に含まれるコマンド画像は、スライド表示する際の画像の送り間隔を設定するためのコマンド画像、画像の送り効果を設定するためのコマンド画像、そのスライド表示の対象となるメモリＳＤ内のファイルを設定するためのコマンド画像、スライド表示の順送り或いは逆送りを設定するためのコマンド画像、スライド表示を繰り返すよう設定するコマンド画像であり、これらにあっても、撮像装置１００のメモリに記憶されている。なお、この場合のメニュー画像の下層側或いは上層側への階層順の推移は、既述したように右スイッチ１１２Ｒと左スイッチ１１２Ｌの操作によってなされる。
【００８５】
以上説明したように、本実施例の撮像装置１００では、メニュースイッチ１１２Ｍが操作されると、メニュー画像を用いて機器設定を行うコマンド設定モードになり、モニタ１１４には、図８（Ｂ）に示すように、その時の設定入力ソースＳＰの画像（カメラ画像かメモリ画像）を背景画像として合成したトップメニューを表示する。このコマンド設定モードでは、コマンド画像の選択や、階層状のメニュー画像における層順のメニュー画像推移を行うために、メニュースイッチ１１２Ｍの周囲の上スイッチ１１２Ｕ、下スイッチ１１２Ｄ、右スイッチ１１２Ｒおよび左スイッチ１１２Ｌを用いる。つまり、装置使用者は、これら周囲スイッチを操作してコマンド画像を選択し、その選択コマンド画像をメニュースイッチ１１２Ｍにて選択設定することで、当該コマンド画像に対応した機器設定を行うことができる。
【００８６】
その一方、モニタ１１４に表示した各階層のメニュー画像のバックコマンド画像ＢＣの選択・決定により、撮像装置１００は、コマンド設定モードから抜け、モニタ１１４におけるメニュー画像の表示を行わない。詳しくは、背景画像としての設定入力ソースＳＰの画像（カメラ画像かメモリ画像）とメニュー画像との合成を行わず、モニタ１１４には、設定入力ソースＳＰの画像（カメラ画像かメモリ画像）のみを表示する。そして、このメニュー画像の合成を行わないメニュー画像非表示期間では、上記した上スイッチ１１２Ｕを撮像装置１００の使用状況の一つである照明のオンオフを設定する物理的な操作スイッチとして機能させ、右スイッチ１１２Ｒを撮像装置１００の使用状況の一つである入力ソース設定（ＰＣ画像設定）を行う物理的な操作スイッチとして機能させ、左スイッチ１１２Ｌを撮像装置１００の使用状況の一つである入力ソース設定（メモリ画像設定）を行う物理的な操作スイッチとして機能させ、下スイッチ１１２Ｄを撮像装置１００の使用状況の一つである入力ソース設定（カメラ画像設定）を行う物理的な操作スイッチとして機能させる。従って、本実施例の撮像装置１００によれば、コマンド設定モードにてコマンド画像の選択に用いていた上記の周囲スイッチのそれぞれを、装置の使用状況を設定するための物理的なスイッチとしても兼用することで、スイッチの数を削減させつつ、これら周囲スイッチをテーブル１１０の傾斜面１１０ＦＳに設置されたものとすることで、その使い勝手を高めることができる。
【００８７】
また、上記した周囲スイッチで行う照明オンオフ等の設定は、撮像装置１００を使用する上で常用されるものである。よって、本実施例の撮像装置１００によれば、メニュー画像非表示期間において、上記の設定をスイッチ操作により直接行うことができ、簡便である。
【００８８】
また、コマンド設定モードにおいては、コマンド画像を含むメニュー画像を、その時の設定入力ソースＳＰの画像（カメラ画像・メモリ画像）を背景画像としてモニタ１１４に表示している。よって、周囲スイッチの操作で選択したコマンド画像に対応する機器設定がなされた結果を、モニタ１１４に合成表示している画像（カメラ画像・メモリ画像）で確認でき、使い勝手が高まる。
【００８９】
更に、本実施例の撮像装置１００では、物理的なスイッチとしての機能と、コマンド設定モード時におけるコマンド選択のための操作スイッチとしての機能とを兼用する上記の上スイッチ１１２Ｕ、下スイッチ１１２Ｄ、右スイッチ１１２Ｒおよび左スイッチ１１２Ｌを、メニュースイッチ１１２Ｍを取り囲むようその周囲に設けた。よって、スイッチの集約により、使い勝手を高めることができる。
【００９０】
また、モニタ１１４にメニュー画像を合成表示するコマンド設定モードにおいて、メニュー画像を、図８（Ｂ）のトップメニューを最上階のメニュー画像とした上で、メニュー画像を階層状に表示するようにした。そして、最上階のトップメニューには、カメラコマンド画像ＣＣとＰＣコマンド画像ＰＣＣとメモリコマンド画像ＳＤＣと照明コマンド画像ＬＣとを含ませて、周囲スイッチによりこれらコマンド画像を選択できるようにした。このため、メニュー画像の合成を行わないメニュー画像非表示期間のおける周囲スイッチによる入力ソース選択と照明オンオフに加え、コマンド設定モードにおいても、入力ソース選択と照明オンオフを行うことができ、使い勝手が高まる。
【００９１】
また、メニュー画像を多層の階層状のメニュー画像としてモニタ１１４に表示してコマンド設定に備えるに当たり、いずれの階層のメニュー画像においても、メニュー画像を消失してトップメニューに戻るバックコマンド画像ＢＣを含んで表示するようにした（図８、図１１、図１２、図１５、図１７）。このため、コマンド設定モードにおける下層のメニュー画像でコマンド選択を経た機器設定を行っていても、バックコマンド画像ＢＣの選択・決定により、速やかにメニュー画像非表示の状態に復帰できる。また、トップメニューより下層のいずれの階層のメニュー画像においても、トップメニューに戻すトップメニューコマンド画像ＴＢＣを含んで表示するようにした。このため、下層階層のメニュー画像でコマンド選択を経た機器設定を行っていても、トップメニューコマンド画像ＴＢＣの選択・決定により、速やかにトップメニューに復帰できる。トップメニューには、他の下層階層のメニュー画像には含まれていない入力ソース選択や照明オンオフのコマンド画像が含まれているので、トップメニューへの復帰により、機器設定の途中で、入力ソース選択や照明オンオフを実行でき、好ましい。
【００９２】
加えて、本実施例の撮像装置１００では、モニタ１１４には、背景画像としての設定入力ソースＳＰの画像（カメラ画像かメモリ画像）とメニュー画像との合成画像を表示している。従って、装置使用者は、機器設定を行うに当たり、モニタ１１４に設定入力ソースＳＰの画像（カメラ画像かメモリ画像）を背景として表示してあるメニュー画像を見ながら周囲スイッチを操作するだけで足りる。しかも、この背景画像である設定入力ソースＳＰの画像（カメラ画像かメモリ画像）は、機器設定のために周囲スイッチを操作している最中の設定入力ソースＳＰの画像そのものである。このため、被撮像物を取り替えつつプレゼンテーションを行っている過程で機器設定したとしても、その設定者たる装置使用者は、設定入力ソースＳＰの画像を背景として認識しつつ機器設定操作を行うことができるので、装置使用者に違和感を与えることがない。よって、装置使用者による機器設定の利便性は高まる。
【００９３】
その反面、設定入力ソースＳＰの画像を外部モニタに表示して当該画像を聴衆に提示するに当たっては、設定入力ソースＳＰの画像（カメラ画像、メモリ画像、ＰＣ画像）だけを外部モニタに表示し、メニュー画像については外部モニタに一切表示しない。よって、聴衆への演出効果を不用意に損なうことがない。
【００９４】
本発明は上記した実施例や実施形態に限られるものではなく、その要旨を逸脱しない範囲において、種々の態様で実施可能である。例えば、本実施例では、パソコン４１０からのＰＣ画像については、メニュー画像との合成を行わず、ＲＧＢ出力端子４０２を経てＲＧＢアナログモニタ４２０にのみ出力したが、このＰＣ画像についてもメニュー表示制御部２２０に入力して、ＰＣ画像を背景としてメニュー画像と合成するようにすることもできる。このＰＣ画像と合成したメニュー画像には、上記したメニュー画像と同じコマンド画像を含ませるようにできるほか、ＰＣ画像の設定処理に関するコマンド画像を含ませて、メニュー画像のコマンド選択によりＰＣ画像を処理するようにすることもできる。
【図面の簡単な説明】
【００９５】
【図１】実施例の撮像装置１００の斜視図である。
【図２】スイッチ群１１２の周辺を拡大して示す斜視図である。
【図３】図２における３−３線で切断してスイッチ群１１２の周辺の構成を模式的に示す説明図である。
【図４】撮像装置１００の構成の概略を示す機能ブロック図である。
【図５】各機能ブロックが果たす機能の内容とその関連とを示すブロック図である。
【図６】スイッチ群１１２の周囲のスイッチと機器制御の関係を模式的に示す説明図である。
【図７】コマンド画像を含む最上階のメニュー画像（トップメニュー）を示す説明図である。
【図８】メニュースイッチ１１２Ｍの操作を受けて行われるトップメニューの表示の様子と左スイッチ１１２Ｌ等の操作に伴うコマンド画像選択の様子を示す説明図である。
【図９】設定入力ソースＳＰがカメラ画像である場合に詳細設定コマンド画像ＭＣが選択設定された場合におけるメニュー画像の推移の様子を示す説明図である。
【図１０】下層階層のメニュー画像に含まれるコマンド画像とそのコマンド画像による下層階級メニュー画像の形成の様子を説明するための説明図である。
【図１１】下層へのメニュー画像推移と上層へのメニュー画像推移の様子を説明するための説明図である。
【図１２】図９相当図であり設定入力ソースＳＰがメモリ画像であって単体表示モードの場合に詳細設定コマンド画像ＭＣが選択設定された場合におけるメニュー画像の推移の様子を示す説明図である。
【図１３】図１０相当図でありメモリ画像が設定入力ソースＳＰであって単体表示モードの場合の下層階層のメニュー画像に含まれるコマンド画像とそのコマンド画像による下層階級メニュー画像の形成の様子を説明するための説明図である。
【図１４】メモリ画像の表示を行う際のモード切換に伴う表示の切換の様子を示す説明図である。
【図１５】設定入力ソースＳＰがメモリ画像であってサムネイルモードの場合のメニュー画像の様子を示す説明図である。
【図１６】図１３相当図でありメモリ画像が設定入力ソースＳＰであってサムネイルモードの場合の下層階層のメニュー画像に含まれるコマンド画像とそのコマンド画像による下層階級メニュー画像の形成の様子を説明するための説明図である。
【図１７】サムネイルモードにおける更に下層のメニュー画像の様子を示す説明図である。
【図１８】スライド表示を行う上での下層階層のメニュー画像に含まれるコマンド画像とそのコマンド画像による下層階級メニュー画像の形成の様子を説明するための説明図である。
【符号の説明】
【００９６】
１００…撮像装置
１１０…テーブル
１１０Ｓ…メインスイッチ
１１０ＦＳ…傾斜面
１１０ＦＶ…凹所
１１２…スイッチ群
１１２Ｍ…メニュースイッチ
１１２Ｕ…上スイッチ
１１２Ｄ…下スイッチ
１１２Ｌ…左スイッチ
１１２Ｒ…右スイッチ
１１２ＭＷ…透光窓
１１３…メモリカード装着機構
１１４…モニタ
１１５…ＵＳＢ端子
１１７…カバー
１１８…隆起部
１１９…調光光源
１２０…カメラヘッド
１２２…ズーム操作スイッチ
１２４…オートフォーカススイッチ
１３０…照明ユニット
１４０…カメラ保持アーム
１４２…テーブル側アーム
１４３…基部
１４４…カメラ側アーム
１５０…照明ユニット保持アーム
１５２…基部
２００…設定制御部
２１０…設定処理部
２１１…ライン開閉スイッチ
２２０…メニュー表示制御部
２２２…メニュー画像合成部
２２４…メニュー合成画像出力部
２３０…スイッチ表示灯調光処理部
２４０…スイッチ感知制御部
２５０…メモリ読取部
３００…カメラ画像制御部
４００…画像入出力制御部
４０１…ＲＧＢ入力端子
４０２…ＲＧＢ出力端子
４０４…ビデオ端子
４０５…入力切換器
４０６…ソース切換部
４１０…パソコン
４２０…ＲＧＢアナログモニタ
４３０…デジタルモニタ
４４０…ビデオモニタ
５００…照明制御部
Ｓ…資料
ＣＡＰＣ…キャプチャーコマンド画像
Ｃ…カーソル
ＣＣ…カメラコマンド画像
ＢＣ…バックコマンド画像
ＬＣ…照明コマンド画像
ＴＣ…テキストコマンド画像
ＭＣ…詳細設定コマンド画像
ＳＤ…メモリ
ＣＭ１〜ＣＭＬ…階層コマンド画像群
ＴＢＣ…トップメニューコマンド画像
ＳＤＣ…メモリコマンド画像
ＣＯＣ…カラーコマンド画像
【図１】
0005210628.tif 000002
【図２】
0005210628.tif 000003
【図３】
0005210628.tif 000004
【図４】
0005210628.tif 000005
【図５】
0005210628.tif 000006
【図６】
0005210628.tif 000007
【図７】
0005210628.tif 000008
【図８】
0005210628.tif 000009
【図９】
0005210628.tif 000010
【図１０】
0005210628.tif 000011
【図１１】
0005210628.tif 000012
【図１２】
0005210628.tif 000013
【図１３】
0005210628.tif 000014
【図１４】
0005210628.tif 000015
【図１５】
0005210628.tif 000016
【図１６】
0005210628.tif 000017
【図１７】
0005210628.tif 000018
【図１８】
0005210628.tif 000019